(57)【特許請求の範囲】
【請求項１】
容器本体、開封可能なシール部及び保護ケースが順次一体成形され、前記保護ケース内に中空塗布具の塗布部を保護ケース側に位置するように収納し、前記中空塗布具をシール部近傍の保護ケースに固定し、前記シール部から容器本体に向かって拡径のテーパ壁を有することを特徴とする内容物入り包装容器。
【請求項２】
容器本体に折り畳み導線を形成した請求項１に記載の内容物入り包装容器。
【請求項３】
スタンディング性を有する請求項１又は２に記載の内容物入り包装容器。
【請求項４】
中空塗布具の収納固定を環状のゴムパッキンを介して固定する請求項１乃至３に記載の内容物入り包装容器。
【請求項５】
保護ケースと中空塗布具の固定部の間に破断部を設けた請求項１乃至４に記載の内容物入り包装容器。
【請求項６】
保護ケースに突片を設けた請求項１乃至５に記載の内容物入り包装容器。
【請求項７】
容器本体内の内容物が歯科用接着剤である請求項１乃至６に記載の内容物入り包装容器。
【発明の詳細な説明】
【技術分野】
【０００１】
本発明は、中空塗布具が取り付けられた包装容器において、該中空塗布具が保護ケース内に収納される内容物入り包装容器に関する。
【背景技術】
【０００２】
通常、薬液等を患部へ塗布する際に、塗布棒の先端に薬液等を含浸させて、患部へ塗布する方法が一般的に行われている。しかしながら、医療分野においては、近年の急速な技術進歩に伴い、用途や個別化医療によって各種さまざまな薬液等が用いられており、衛生性、医療事故防止の点から包装体に中空塗布具が取り付けられる使い捨てタイプの包装体が提案されている。
【０００３】
例えば、特許文献１に記載されている包装体は、折り畳み誘導線が形成されたプラスチック容器本体内に内容物を無菌的に充填すると共に、前記容器本体と一体成形された保護ケース内に注出具を収納し、注出具の下端部に逆止部材を設けたものである。また、特許文献２に記載されている包装体は、薬液を塗布する塗布具付き包装体であって、包装体は外圧が加えられることにより剥離される仕切手段を介して、薬液が収納された薬液収納部と予備室とが区画形成されてなり、薬液収納部に外圧が加えられることにより、仕切手段が剥離されて前記薬液収納部及び予備室が連通され、薬液収納部から注出された薬液を予備室に収容し得るように構成されるものである。
【０００４】
【特許文献１】国際公開公報ＷＯ２００６／０８５４８０
【特許文献２】特開２００６−９６３９７
【発明の開示】
【発明が解決しようとする課題】
【０００５】
前述の特許文献１に記載されている容器は、容器本体と一体成形された保護ケース内に注出具を収納し、容器本体と注出具との間は逆止弁にて封止される。
開通手段としては、該注出具の両頭針が収納されるケースを容器本体に向けて押し込んだ後に、容器本体内の注射剤を注出可能とするものであるから衛生上両頭針をケース内に収納する必要があり、構造が複雑となる。また、開通手段に手間がかかる。また、特許文献２は、薬液が収納された薬液収納部と予備室とが区画形成されてなり、薬液収納部に外圧が加えられることにより、仕切手段（シール部）が剥離されて前記薬液収納部及び予備室が連通され、薬液収納部から注出された薬液を予備室に収容し得るように構成されるものであるが、シール部を開通させるのに高い押し圧力が必要となり、シール部が開通したときの勢いで液体が塗布具から飛び出すといった問題がある。また、これらは高い衛生要求が必要となる環境下において、衛生性、管理性、使用性をいまだ充分に満足するものではない。
【課題を解決するための手段】
【０００６】
そこで、上記課題を解決するために、請求項１記載の内容物入り包装容器は、容器本体、開封可能なシール部及び保護ケースが順次一体成形され、前記保護ケース内に中空塗布具の塗布部を保護ケース側に位置するように収納し、前記中空塗布具をシール部近傍の保護ケースに固定し、前記シール部から容器本体に向かって拡径のテーパ壁を有するものである。請求項２記載の包装容器は、請求項１記載の包装容器において、容器本体に折り畳み導線を形成し、請求項３記載の包装容器は、内容物入り包装容器がスタンディング性を有し、請求項４記載の包装容器は、中空塗布具の収納固定を環状のゴムパッキンを介して固定し、請求項５記載の包装容器は、保護ケースに破断部を設け、請求項６記載の包装容器は、保護ケースに突片を設けたものである。さらに、請求項７記載の包装容器は、内容物を歯科用接着剤とするものである。
【発明の効果】
【０００７】
請求項１記載の発明によれば、容器本体、開封可能なシール部及び保護ケースが順次一体成形されているので高い密封性、いたずら防止機能を有し、塗布具を保護ケース内に収納することで使用直前まで高い衛生性を保持することができ、シール部から容器本体に向かって拡径するテーパ壁を有することで、シール部の開通力を低減することができるのである。また、構造が極めて容易であるので、製造コストを安価にすることができる。
また、請求項２記載の発明によれば、容器本体に折り畳み導線を形成することで、容器本体を押圧し易くなり、前記シール部の開通が容易に行われると共に、内容物の残存が防止される。
また、請求項３記載の発明によれば、包装容器がスタンディング性を有することで、収納性、商品陳列性に優れると共に、本発明の包装容器を数回に亘り使用する場合に、容器本体を正立させることで中空塗布具先端の汚染を防ぐことができる。
また、請求項４記載の発明によれば、中空塗布具の収納固定を環状のゴムパッキンを介して行うことで、容易、且つ確実に固定をすることができる。
また、請求項５記載の発明によれば、保護ケースと中空塗布具の固定部の間に破断部を設けることで保護ケースを容易に取り外すことができる。
また、請求項６記載の発明によれば、保護ケースに突片を設けたことで保護ケースの取り外しを容易に行うことができる。
さらに、本発明は、容器本体内の内容物が歯科用接着剤の場合に特に、有効に使用可能である。
【発明を実施するための最良の形態】
【０００８】
本発明の一実施形態について、図面に基づいて説明する。
図１は、本発明の一実施形態を示し、包装容器１の正面図（ａ）、側面図（ｂ）、断面図（ｃ）である。本発明の包装容器１は、容器本体２及び保護ケース３が一体成形されており、保護ケース３内に中空塗布具５の塗布部６が、保護ケース３側に位置するように収納し、中空塗布具５はシール部近傍の保護ケース３に環状ゴムパッキン１１を介して固定部７に固定される。容器本体２内には、歯科用接着剤等の内容物８が充填されている。
そして、保護ケース３と中空塗布具の固定部７の間には破断部９が刻設されていて、この部分が他の部分よりも脆弱になっており、使用時において、この部分から保護ケース３を容器本体２から容易に分離できるようになっている。また保護ケース３と容器本体２の分離を容易にするために保護ケース３に翼状の突片１０が形成されている。
また、容器本体２には、側面及び底面に折り畳み導線１２が形成されており、容器本体２を容易に押し潰すことが可能になり、前述したシール部４の開通を容易に行うことができると共に、内容物の残存が防止される。尚、折り畳み線１２は、容器本体の側面及び底面に形成する以外に、容器本体２の周方向に形成した蛇腹構造であってもよい。
【０００９】
本発明の包装容器においては、シール部４の下方に拡経のテーパ壁２１を設けることが好ましい。
そして、容器本体２を押し潰した際に発生する内圧力は、拡経のテーパ壁２１を介してシール部４に作用し、拡経のテーパ壁２１を設けることにより、前記シール部４のシール界面の垂直方向に作用する力、即ち、シール部４を引き剥がす方向により大きな力が作用するためシール部の開通力が低減され、効率よくシール界面を剥離させることが可能になる。
【００１０】
中空塗布具５の先端に装着する塗布部６には、ブラシ、ハケ、ヘラ、クシ目ゴテ、ローラー等を装着することができる。特にブラシ状のものが内容物を含浸させ易いので好ましい。ブラシの材質としては、ナイロンや綿等の繊維状のものが好ましい。また、塗布部６に、容器本体２内の内容物とは別の薬液、接着剤等の成分を含浸、塗布させておいてもよい。
【００１１】
破断部９は、保護ケース３と固定部７の間に設けるのが好ましく、破断部９の成形方法は、包装容器１の成形時のブロー金型に予め破断部形成用の凸部を成形してもよく、包装容器１の成形後に形成してもよい。
【００１２】
図２は、図１（ｃ）の部分Ａにおける包装容器１の固定部７の拡大図を示す。
そして、塗布具５は、固定部７に環状のゴムパッキン１１を介して収納固定され、塗布具５は保護ケース３内に直接収納固定することもできるが、前述したように環状のゴムパッキン１１を介して塗布具５を収納固定することにより、容易、且つ確実に固定することができるので好ましい。環状ゴムパッキン１１材としては、ポリブタジエン系、ブタジエン・アクリロニトリル系、クロロプレン系等の共重合体等が挙げられる。
【００１３】
本発明の包装容器１の材料としては、ポリエステル、ポリプロピレン、ポリエチレン、ポリスチレン、ポリ塩化ビニル、ナイロン等が挙げられ、単層または多層包装体とすることもできる。
開封可能なシール部４は、包装容器１の内面に易剥離可能な材料を適宜選択し、包容容器の包材を圧着することで成形することができるし、ヒートシール温度を調整することによっても成形することができる。
【００１４】
本発明の包装容器は、特に歯科用接着剤容器キット等の医療分野の使い切りタイプ容器として好適に使用され、例えば、接着剤レジンはリン酸系、カルボン酸系等が挙げられる。
【００１５】
本発明の包装容器の一使用形態を、図３を参照して説明する。
先ず、保護ケース３の突片１０を掴み、容器本体を軸に回転させて破断部９からねじ切る（図３（ａ）正面図）。次に、容器本体２の側壁を押圧し、シール部４の開通（図３（ｂ）断面図）、内容物８の中空塗布具５内通過、塗布部６への供給及び含浸を行い、患部に塗布して使用する（図３（ｃ）断面図）。
【００１６】
次に、図示しないが前述した本発明の包装容器１の製造方法については、例えば、本出願人が提案した国際公開公報ＷＯ２００６／０８５４８０が挙げられ、このような成形方法により、ブロー成形、充填、中空塗布具の固定、保護ケースの成形を一体的に行うことで、高度な無菌状態の内容物入り包装容器を得ることができる。
【図面の簡単な説明】
【００１７】
【図１】本発明の包装容器の正面図（ａ）、側面図（ｂ）、断面図（ｃ）を示した図である。
【図２】図１で示した断面図（ｃ）の固定部７を拡大した図である。
【図３】本発明の包装容器の一使用形態を示した図である。
【符号の説明】
【００１８】
１  包装容器
２  容器本体
３  保護ケース
４  シール部
５  中空塗布具
６  塗布部
７  固定部
８  内容物
９  破断部
１０  突片
１１  ゴムパッキン
１２  折り畳み線
２１  拡径のテーパ壁
２２  縮径のテーパ壁
【図１】
0005041150.tif 000002
【図２】
0005041150.tif 000003
【図３】
0005041150.tif 000004